(57)【要約】第１のポジションに装置がポジショニングされるのに応答して、装置のディスプレイ上に第１の複数コンテンツ・アイテムを第１の期間にわたって表示することと；第２のポジションに装置がポジショニングされるのに応答して、第２の複数コンテンツ・アイテムを第２の期間にわたって表示することとを含む方法であって、ここで、第１の期間の間に、第１の複数コンテンツ・アイテムの第１のサブセットが、ディスプレイから削除され、第１の複数コンテンツ・アイテムの第２のサブセットが、ディスプレイに追加され、第２の期間の間に、第２の複数コンテンツ・アイテムの第１のサブセットが、ディスプレイから削除され、第２の複数コンテンツ・アイテムの第２のサブセットが、ディスプレイに追加される、方法、装置、コンピュータ・プログラムおよびユーザ・インターフェース。【選択図】図５
2013528849.tif 000002
【特許請求の範囲】
【請求項１】
第１のポジションに装置がポジショニングされるのに応答して、前記装置のディスプレイ上に第１の複数コンテンツ・アイテムを第１の期間にわたって表示することと；
第２のポジションに装置がポジショニングされるのに応答して、第２の複数コンテンツ・アイテムを第２の期間にわたって表示することと；
を含み、ここで、
前記第１の期間の間に、前記第１の複数コンテンツ・アイテムの第１のサブセットが、前記ディスプレイから削除され、前記第１の複数コンテンツ・アイテムの第２のサブセットが、前記ディスプレイに追加され、
前記第２の期間の間に、前記第２の複数コンテンツ・アイテムの第１のサブセットが、前記ディスプレイから削除され、前記第２の複数コンテンツ・アイテムの第２のサブセットが、前記ディスプレイに追加される、
方法。
【請求項２】
前記装置の前記ポジションは、前記装置の向きを含む、請求項１に記載の方法。
【請求項３】
前記装置の前記ポジションは、前記装置の位置を含む、先行するいずれかの請求項に記載の方法。
【請求項４】
前記第２の複数コンテンツ・アイテムは、前記第１のポジションから前記第２のポジションに前記装置が移動されると、前記第１の複数コンテンツ・アイテムと置き換わる、先行するいずれかの請求項に記載の方法。
【請求項５】
前記方法は、前記装置をロック状態に設定することをさらに含み、前記装置が前記ロック状態に設定されていると、前記第１の複数コンテンツ・アイテムを置き換えることなく、前記装置が前記第１のポジションから移動され得る、請求項１から３のいずれかに記載の方法。
【請求項６】
前記複数アイテムのうち、前記ディスプレイ上に現在表示されていないサブセットを、キューに記憶することをさらに含む、先行するいずれかの請求項に記載の方法。
【請求項７】
前記コンテンツ・アイテムは、それらが前記キューに記憶されている順序で前記ディスプレイに追加される、請求項６に記載の方法。
【請求項８】
前記キューにおける前記コンテンツ・アイテムの前記順序は、前記装置のユーザによって決定される、請求項７に記載の方法。
【請求項９】
前記方法は、イメージを表示することをさらに含み、前記装置が第１のポジションであると第１のイメージが表示され、前記装置が前記第２のポジションにあると第２のイメージが表示される、先行するいずれかの請求項に記載の方法。
【請求項１０】
前記イメージは、地図を含む、請求項９に記載の方法。
【請求項１１】
前記コンテンツ・アイテムは、前記地図によって示されるエリアに関連する、請求項１０に記載の方法。
【請求項１２】
表示されるコンテンツ・アイテムのタイプは、ユーザによって選択される、先行するいずれかの請求項に記載の方法。
【請求項１３】
同時に表示されるコンテンツ・アイテムの数は、ユーザによって決定される、先行するいずれかの請求項に記載の方法。
【請求項１４】
ディスプレイと；
少なくとも１つのプロセッサと；
コンピュータ・プログラム・コードを備える少なくとも１つのメモリと；
を含む装置であって、
前記少なくとも１つのメモリおよび前記コンピュータ・プログラム・コードは、前記装置が、
第１のポジションに前記装置がポジショニングされるのに応答して、第１の複数コンテンツ・アイテムを第１の期間にわたって表示し；
第２のポジションに前記装置がポジショニングされるのに応答して、第２の複数コンテンツ・アイテムを第２の期間にわたって表示すること；
を、前記少なくとも１つのプロセッサとともに可能にするよう構成されており、ここで、
前記第１の期間の間に、前記第１の複数コンテンツ・アイテムの第１のサブセットが、前記ディスプレイから削除され、前記第１の複数コンテンツ・アイテムの第２のサブセットが、前記ディスプレイに追加され、
前記第２の期間の間に、前記第２の複数コンテンツ・アイテムの第１のサブセットが、前記ディスプレイから削除され、前記第２の複数コンテンツ・アイテムの第２のサブセットが、前記ディスプレイに追加される、
装置。
【請求項１５】
前記装置の前記ポジションは、前記装置の向きを含む、請求項１４に記載の装置。
【請求項１６】
前記装置の前記ポジションは、前記装置の位置を含む、請求項１４から１５のいずれかに記載の装置。
【請求項１７】
前記少なくとも１つのメモリおよび前記コンピュータ・プログラム・コードは、前記第１のポジションから前記第２のポジションに前記装置が移動されると、前記装置が前記第１の複数コンテンツ・アイテムを前記第２の複数コンテンツ・アイテムに置き換えることを、前記少なくとも１つのプロセッサとともに可能にするようさらに構成されている、請求項１４から１６のいずれかに記載の装置。
【請求項１８】
前記少なくとも１つのメモリおよび前記コンピュータ・プログラム・コードは、前記装置が前記装置をロック状態に設定することを、前記少なくとも１つのプロセッサとともに可能にするようさらに構成されており、前記装置が前記ロック状態に設定されていると、前記第１の複数コンテンツ・アイテムを置き換えることなく、前記装置が前記第１のポジションから移動され得る、請求項１４から１６のいずれかに記載の装置。
【請求項１９】
前記少なくとも１つのメモリおよび前記コンピュータ・プログラム・コードは、前記装置が、前記複数アイテムのうち、前記ディスプレイ上に現在表示されていないサブセットを、キューに記憶することを、前記少なくとも１つのプロセッサとともに可能にするようさらに構成されている、請求項１４から１８のいずれかに記載の装置。
【請求項２０】
前記コンテンツ・アイテムは、それらが前記キューに記憶されている順序で前記ディスプレイに追加される、請求項１９に記載の装置。
【請求項２１】
前記キューにおける前記コンテンツ・アイテムの前記順序は、前記装置のユーザによって決定される、請求項２１に記載の装置。
【請求項２２】
前記装置は、イメージを表示するよう構成されており、前記装置が第１のポジションであると第１のイメージが表示され、前記装置が前記第２のポジションにあると第２のイメージが表示される、請求項１４から２１のいずれかに記載の装置。
【請求項２３】
前記イメージは、地図を含む、請求項２２に記載の装置。
【請求項２４】
前記コンテンツ・アイテムは、前記地図によって示されるエリアに関連する、請求項２３に記載の装置。
【請求項２５】
表示されるコンテンツ・アイテムのタイプは、ユーザによって選択される、請求項１４から２４のいずれかに記載の装置。
【請求項２６】
同時に表示されるコンテンツ・アイテムの数は、ユーザによって決定される、請求項１４から２５のいずれかに記載の装置。
【請求項２７】
コンピュータ・プログラム命令を含むコンピュータ・プログラムであって、前記コンピュータ・プログラム命令は、少なくとも１つのプロセッサによって実行されると、装置が、
第１のポジションに前記装置がポジショニングされるのに応答して、ディスプレイ上に第１の複数コンテンツ・アイテムを第１の期間にわたって表示することと；
第２のポジションに前記装置がポジショニングされるのに応答して、第２の複数コンテンツ・アイテムを第２の期間にわたって表示することと；
を少なくとも実行することを可能にし、ここで、
前記第１の期間の間に、前記第１の複数コンテンツ・アイテムの第１のサブセットが、前記ディスプレイから削除され、前記第１の複数コンテンツ・アイテムの第２のサブセットが、前記ディスプレイに追加され、
前記第２の期間の間に、前記第２の複数コンテンツ・アイテムの第１のサブセットが、前記ディスプレイから削除され、前記第２の複数コンテンツ・アイテムの第２のサブセットが、前記ディスプレイに追加される、
コンピュータ・プログラム。
【請求項２８】
請求項１から１３のいずれかに記載の前記方法をコンピュータに実行させるプログラム命令を含む、コンピュータ・プログラム。
【請求項２９】
請求項２９から２８のいずれかに記載の前記コンピュータ・プログラムを具現化する物理エンティティ。
【請求項３０】
請求項２９から２８のいずれかに記載の前記コンピュータ・プログラムを搬送する電磁搬送信号。
【請求項３１】
第１のポジションに装置がポジショニングされるのに応答して、第１の複数コンテンツ・アイテムを第１の期間にわたって表示し；
第２のポジションに前記装置がポジショニングされるのに応答して、第２の複数コンテンツ・アイテムを第２の期間にわたって表示するよう構成されているディスプレイ
を含み、ここで、
前記第１の期間の間に、前記第１の複数コンテンツ・アイテムの第１のサブセットが、前記ディスプレイから削除され、前記第１の複数コンテンツ・アイテムの第２のサブセットが、前記ディスプレイに追加され、
前記第２の期間の間に、前記第２の複数コンテンツ・アイテムの第１のサブセットが、前記ディスプレイから削除され、前記第２の複数コンテンツ・アイテムの第２のサブセットが、前記ディスプレイに追加される、
ユーザ・インターフェース。
【請求項３２】
前記装置の前記ポジションは、前記装置の向きを含む、請求項３１に記載のユーザ・インターフェース。
【請求項３３】
前記装置の前記ポジションは、前記装置の位置を含む、請求項３１から３２のいずれかに記載のユーザ・インターフェース。
【発明の詳細な説明】
【発明の分野】
【０００１】
本発明の実施形態は、装置、方法、コンピュータ・プログラムおよびユーザ・インターフェースに関する。特に、本発明の実施形態は、コンテンツ・アイテム（ｃｏｎｔｅｎｔ  ｉｔｅｍ）がユーザに提供されることを可能にする装置、方法、コンピュータ・プログラムおよびユーザ・インターフェースに関する。
【発明の背景】
【０００２】
複数のコンテンツ・アイテムがユーザに提供されることを可能にする装置は、既知である。例えば、ユーザは、移動電話などのハンドヘルド電子デバイスを使用して、大量のコンテンツにアクセスすることもできる。例えば、デバイスは、ウェブサイトにアクセスするために使用されることも、デバイス自体に記憶されているオーディオまたは視覚コンテンツなどのコンテンツをレンダリングするために使用されることもある。ユーザがコンテンツを簡単に発見してアクセスすることを可能にすることは、有用である。
【発明の様々な実施形態の簡単な説明】
【０００３】
本発明の様々な、しかし必ずしもすべてではない実施形態によれば、第１のポジションに装置がポジショニングされる（ｐｏｓｉｔｉｏｎｅｄ）のに応答して、装置のディスプレイ上に第１の複数コンテンツ・アイテムを第１の期間にわたって表示することと；第２のポジションに装置がポジショニングされるのに応答して、第２の複数コンテンツ・アイテムを第２の期間にわたって表示することとを含み、ここで、第１の期間の間に、第１の複数コンテンツ・アイテムの第１のサブセットが、ディスプレイから削除され、第１の複数コンテンツ・アイテムの第２のサブセットが、ディスプレイに追加され、第２の期間の間に、第２の複数コンテンツ・アイテムの第１のサブセットが、ディスプレイから削除され、第２の複数コンテンツ・アイテムの第２のサブセットが、ディスプレイに追加される、方法が提供される。
【０００４】
本発明のいくつかの実施形態では、装置のポジションは、装置の向きを含んでもよい。装置のポジションはさらに、装置の位置を含んでもよい。
【０００５】
本発明のいくつかの実施形態では、第２の複数コンテンツ・アイテムは、第１のポジションから第２のポジションに装置が移動されると、第１の複数コンテンツ・アイテムと置き換わるとよい。
【０００６】
本発明のいくつかの実施形態では、装置は、ロック状態（ｌｏｃｋｅｄ  ｓｔａｔｅ）に設定されてもよく、装置がロック状態に設定されていると、第１の複数コンテンツ・アイテムを置き換えることなく、装置が第１のポジションから移動され得る。
【０００７】
本発明のいくつかの実施形態では、方法はさらに、複数アイテムのうち、ディスプレイ上に現在表示されていないサブセットを、キューに記憶することを含むとよい。コンテンツ・アイテムは、キューに記憶されている順序でディスプレイに追加されてもよい。キューにおけるコンテンツ・アイテムの順序は、装置のユーザによって決定されてもよい。
【０００８】
本発明のいくつかの実施形態では、方法はさらに、イメージを表示することを含むとよく、装置が第１のポジションであると第１のイメージが表示され、装置が第２のポジションにあると第２のイメージが表示される。イメージは、地図を含んでもよい。コンテンツ・アイテムは、地図によって示されるエリアに関連してもよい。
【０００９】
本発明のいくつかの実施形態では、表示されるコンテンツ・アイテムのタイプは、ユーザによって選択されるとよい。
【００１０】
本発明のいくつかの実施形態では、同時に表示されるコンテンツ・アイテムの数は、ユーザによって決定されるとよい。
【００１１】
本発明の様々な、しかし必ずしもすべてではない実施形態によれば、ディスプレイと；少なくとも１つのプロセッサと；コンピュータ・プログラム・コードを備える少なくとも１つのメモリと；を含む装置であって、少なくとも１つのメモリおよびコンピュータ・プログラム・コードは、装置が、第１のポジションに装置がポジショニングされるのに応答して、第１の複数コンテンツ・アイテムを第１の期間にわたって表示し；第２のポジションに装置がポジショニングされるのに応答して、第２の複数コンテンツ・アイテムを第２の期間にわたって表示することを、少なくとも１つのプロセッサとともに可能にするよう構成されており、ここで、第１の期間の間に、第１の複数コンテンツ・アイテムの第１のサブセットが、ディスプレイから削除され、第１の複数コンテンツ・アイテムの第２のサブセットが、ディスプレイに追加され、第２の期間の間に、第２の複数コンテンツ・アイテムの第１のサブセットが、ディスプレイから削除され、第２の複数コンテンツ・アイテムの第２のサブセットが、ディスプレイに追加される、装置がさらに提供される。
【００１２】
本発明のいくつかの実施形態では、装置のポジションは、装置の向きを含むとよい。装置のポジションはさらに、装置の位置を含んでもよい。
【００１３】
本発明のいくつかの実施形態では、少なくとも１つのメモリおよびコンピュータ・プログラム・コードは、第１のポジションから第２のポジションに装置が移動されると、装置が第１の複数コンテンツ・アイテムを第２の複数コンテンツ・アイテムに置き換えることを、少なくとも１つのプロセッサとともに可能にするようさらに構成されているとよい。
【００１４】
本発明のいくつかの実施形態では、少なくとも１つのメモリおよびコンピュータ・プログラム・コードは、装置が装置をロック状態に設定することを、少なくとも１つのプロセッサとともに可能にするようさらに構成されているとよく、装置がロック状態に設定されていると、第１の複数コンテンツ・アイテムを置き換えることなく、装置が第１のポジションから移動され得る。
【００１５】
本発明のいくつかの実施形態では、少なくとも１つのメモリおよびコンピュータ・プログラム・コードは、装置が、複数アイテムのうち、ディスプレイ上に現在表示されていないサブセットを、キューに記憶することを、少なくとも１つのプロセッサとともに可能にするようさらに構成されているとよい。
【００１６】
本発明のいくつかの実施形態では、コンテンツ・アイテムは、それらがキューに記憶されている順序でディスプレイに追加されるとよい。キューにおけるコンテンツ・アイテムの順序は、装置のユーザによって決定されてもよい。
【００１７】
本発明のいくつかの実施形態では、装置はさらに、イメージを表示するよう構成されているとよく、装置が第１のポジションであると第１のイメージが表示され、装置が第２のポジションにあると第２のイメージが表示される。イメージは、地図を含んでもよい。コンテンツ・アイテムは、地図によって示されているエリアに関連してもよい。
【００１８】
本発明のいくつかの実施形態では、表示されるコンテンツ・アイテムのタイプは、ユーザによって選択されるとよい。
【００１９】
本発明のいくつかの実施形態では、同時に表示されるコンテンツ・アイテムの数は、ユーザによって決定されるとよい。
【００２０】
本発明の様々な、しかし必ずしもすべてではない実施形態によれば、コンピュータ・プログラム命令を含むコンピュータ・プログラムであって、コンピュータ・プログラム命令は、少なくとも１つのプロセッサによって実行されると、装置が、第１のポジションに装置がポジショニングされるのに応答して、ディスプレイ上に第１の複数コンテンツ・アイテムを第１の期間にわたって表示することと；第２のポジションに装置がポジショニングされるのに応答して、第２の複数コンテンツ・アイテムを第２の期間にわたって表示することとを少なくとも実行することを可能にし、ここで、第１の期間の間に、第１の複数コンテンツ・アイテムの第１のサブセットが、ディスプレイから削除され、第１の複数コンテンツ・アイテムの第２のサブセットが、ディスプレイに追加され、第２の期間の間に、第２の複数コンテンツ・アイテムの第１のサブセットが、ディスプレイから削除され、第２の複数コンテンツ・アイテムの第２のサブセットが、ディスプレイに追加される、コンピュータ・プログラムがさらに提供される。
【００２１】
本発明のいくつかの実施形態では、コンピュータに上記の方法を実行させるプログラム命令を含むコンピュータ・プログラムがさらに提供されるとよい。
【００２２】
本発明のいくつかの実施形態では、上記のコンピュータ・プログラムを具現化する物理エンティティがさらに提供されるとよい。
【００２３】
本発明のいくつかの実施形態では、上記のコンピュータ・プログラムを搬送する電磁搬送信号がさらに提供されるとよい。
【００２４】
本発明の様々な、しかし必ずしもすべてではない実施形態によれば、第１のポジションに装置がポジショニングされるのに応答して、第１の複数コンテンツ・アイテムを第１の期間にわたって表示し；第２のポジションに装置がポジショニングされるのに応答して、第２の複数コンテンツ・アイテムを第２の期間にわたって表示するよう構成されているディスプレイを含み、ここで、第１の期間の間に、第１の複数コンテンツ・アイテムの第１のサブセットが、ディスプレイから削除され、第１の複数コンテンツ・アイテムの第２のサブセットが、ディスプレイに追加され、第２の期間の間に、第２の複数コンテンツ・アイテムの第１のサブセットが、ディスプレイから削除され、第２の複数コンテンツ・アイテムの第２のサブセットが、ディスプレイに追加される、ユーザ・インターフェースがさらに提供される。
【００２５】
本発明のいくつかの実施形態では、装置のポジションは、装置の向きを含むとよい。装置のポジションはさらに、装置の位置を含んでもよい。
【００２６】
装置は、無線通信用であってもよい。
【００２７】
本発明の実施形態の様々な例がより深く理解されるよう、以下、単なる例として添付の図面を参照する。
【図面の簡単な説明】
【００２８】
【図１】本発明の例示実施形態による装置を概略的に示す。
【図２】本発明の別の例示実施形態による装置を概略的に示す。
【図３】本発明の例示実施形態による方法を概略的に示すブロック図である。
【図４】本発明の例示実施形態をより詳しく概略的に示す。
【図５】本発明の例示実施形態によるグラフィカル・ユーザ・インターフェースを示す。
【図６】本発明の別の例示実施形態によるグラフィカル・ユーザ・インターフェースを示す。
【発明の様々な実施形態の詳細な説明】
【００２９】
図面は、第１のポジションに装置１がポジショニングされるのに応答して、装置１のディスプレイ１５上に第１の複数コンテンツ・アイテムを第１の期間にわたって表示することと；第２のポジションに装置１がポジショニングされるのに応答して、第２の複数コンテンツ・アイテムを第２の期間にわたって表示することとを含み、ここで、第１の期間の間に、第１の複数コンテンツ・アイテムの第１のサブセットが、ディスプレイ１５から削除され、第１の複数コンテンツ・アイテムの第２のサブセットが、ディスプレイ１５に追加され、第２の期間の間に、第２の複数コンテンツ・アイテムの第１のサブセットが、ディスプレイ１５から削除され、第２の複数コンテンツ・アイテムの第２のサブセットが、ディスプレイ１５に追加される、方法を示す。
【００３０】
図１は、本発明の実施形態による装置１を概略的に示す。装置１は、電子装置であるとよい。装置１は、例えば、移動セルラ電話、パーソナル・コンピュータ、カメラ、ゲーム用デバイス、携帯情報端末、パーソナル・ミュージック・プレーヤ、またはその他、装置１を制御するユーザ入力をユーザが行うことを可能にする任意の装置であればよい。装置１は、例えばユーザの手、ハンドバッグ、またはジャケットのポケットの中で運ばれることが可能なハンドヘルド装置１であってもよい。
【００３１】
以下の説明で参照される特徴のみが、図１に示されている。なお、当然のことながら、装置１は、示されていない追加の特徴を含み得る。例えば、装置１が移動セルラ電話である本発明の実施形態では、装置１はさらに、無線通信を可能にするよう構成された送信機および受信機を含むとよい。
【００３２】
図１に示されている装置１は、ユーザ・インターフェース１３、ポジション検出器１９およびコントローラ４を含む。示された実施形態では、コントローラ４は、少なくとも１つのプロセッサ３および少なくとも１つのメモリ５を含み、ユーザ・インターフェース１３は、ディスプレイ１５およびユーザ入力デバイス１７を含む。
【００３３】
コントローラ４は、装置１を制御する手段を提供する。コントローラ４は、例えば、１つ以上の汎用または専用プロセッサ３によって実行されるようコンピュータ可読記憶媒体２３（例えばディスク、メモリなど）上に記憶されているとよい実行可能なコンピュータ・プログラム命令１１を、上記プロセッサ３において使用することによって、ハードウェア機能性を可能にする命令を使用して、実装されるとよい。
【００３４】
コントローラ４は、装置１を制御して複数の異なる機能を実行するよう構成されているとよい。例えば、装置１が移動セルラ電話である場合、コントローラ４は、装置１を制御して、電話の発信および受信を行うよう、さらに、メッセージの送信またはローカル・エリア・ネットワークもしくはインターネットなどの通信ネットワークのアクセスなどの他の機能を実行するよう構成されているとよい。
【００３５】
コントローラ４はさらに、装置１が、第１のポジションに装置１がポジショニングされるのに応答して、ディスプレイ１５上に第１の複数コンテンツ・アイテムを第１の期間にわたって表示することと；第２のポジションに装置１がポジショニングされるのに応答して、第２の複数コンテンツ・アイテムを第２の期間にわたって表示することとを可能にするよう構成されているとよく、ここで、第１の期間の間に、第１の複数コンテンツ・アイテムの第１のサブセットが、ディスプレイ１５から削除され、第１の複数コンテンツ・アイテムの第２のサブセットが、ディスプレイ１５に追加され、第２の期間の間に、第２の複数コンテンツ・アイテムの第１のサブセットが、ディスプレイ１５から削除され、第２の複数コンテンツ・アイテムの第２のサブセットが、ディスプレイ１５に追加される。
【００３６】
少なくとも１つのプロセッサ３は、ユーザ・インターフェース１３から入力コマンドを受領し、さらにユーザ・インターフェース１３に出力コマンドを提供するよう構成されている。少なくとも１つのプロセッサ３はさらに、少なくとも１つのメモリ５への書き込みおよびそれからの読み取りを行うよう構成されている。ユーザ・インターフェース１３の出力は、コントローラ４への入力として提供される。
【００３７】
ユーザ入力デバイス１７は、装置１の制御に使用されるとよい情報を、装置１のユーザが入力することを可能にする手段を提供する。ユーザ入力デバイス１７はさらに、装置１の１つ以上のメモリ５に記憶されるとよい情報をユーザが入力することを可能にしてもよい。ユーザ入力デバイス１７は、ユーザが装置１に情報を入力することを可能にする任意の手段を含むとよい。例えば、ユーザ入力デバイス１７は、キーパッドもしくはタッチ・センシティブ・ディスプレイの一部、またはいくつかの異なるタイプのユーザ入力デバイスの組み合わせを含んでもよい。
【００３８】
ディスプレイ１５は、装置１のユーザに情報が表示されることを可能にする任意の手段を含むとよい。情報は、ユーザ入力デバイス１７を介してユーザによって入力された情報、１つ以上のメモリ５に記憶されている情報、または装置１によって受信された情報に対応し得る。
【００３９】
ディスプレイ１５は、図５および６に示されているグラフィカル・ユーザ・インターフェース７１を表示するよう構成されているとよい。
【００４０】
装置１は、ポジション検出器１９を含む。ポジション検出器１９は、装置１の第１のポジションが、装置１の第２のポジションと区別されることを可能にする任意の手段を含むとよい。例えば、ポジション検出器１９は、装置１の向きを検出する手段を含んでもよい。ポジション検出器１９は、地面などの基準面（ｐｌａｎｅ  ｏｆ  ｒｅｆｅｒｅｎｃｅ）に対する装置の角度または傾斜を判断するよう構成されていてもよい。本発明のそのような実施形態では、ポジション検出器１９は、加速度計、ジャイロスコープ、またはその他任意の適切な検出手段を含むとよい。
【００４１】
本発明のいくつかの実施形態では、ポジション検出器１９はさらに、装置１の位置を検出する手段を含むとよい。装置１の位置は、地理的位置であるとよい。例えば、装置１が位置する都市または国である。本発明のそのような実施形態では、ポジション検出器１９は、グローバル・ポジショニング・モジュールまたはその他任意の適切な手段を含むとよい。
【００４２】
ポジション検出器１９は、コントローラ４から制御入力を受領するよう構成されている。ポジション検出器１９はさらに、装置１のポジションを示す出力をコントローラ４に提供するよう構成されている。
【００４３】
本発明のいくつかの実施形態では、装置１のポジションは、ポジション検出器１９を使用することなく判断されてもよい。例えば、ユーザが、地理的座標または郵便番号などのポジション情報を入力することによって、装置１の位置を入力することができてもよい。
【００４４】
少なくとも１つのメモリ５は、少なくとも１つのプロセッサ３にロードされると装置１の動作を制御するコンピュータ・プログラム命令１１を含む、コンピュータ・プログラム・コード９を記憶する。コンピュータ・プログラム命令１１は、装置１が図３に示されている方法を実行することを可能にする論理およびルーチンを提供する。少なくとも１つのプロセッサ３は、少なくとも１つのメモリ５を読み取ることによって、コンピュータ・プログラム９をロードし、実行することができる。
【００４５】
コンピュータ・プログラム命令１１は、装置１を制御するよう構成されたコンピュータ可読プログラム手段を提供するとよい。プログラム命令１１は、コントローラ４にロードされると、第１のポジションに装置１がポジショニングされるのに応答して、装置１のディスプレイ１５上に第１の複数コンテンツ・アイテムを第１の期間にわたって表示する手段と；第２のポジションに装置１がポジショニングされるのに応答して、第２の複数コンテンツ・アイテムを第２の期間にわたって表示する手段とを提供するとよく、ここで、第１の期間の間に、第１の複数コンテンツ・アイテムの第１のサブセットが、ディスプレイ１５から削除され、第１の複数コンテンツ・アイテムの第２のサブセットが、ディスプレイ１５に追加され、第２の期間の間に、第２の複数コンテンツ・アイテムの第１のサブセットが、ディスプレイ１５から削除され、第２の複数コンテンツ・アイテムの第２のサブセットが、ディスプレイ１５に追加される。
【００４６】
コンピュータ・プログラム・コード９は、任意の適切な配布メカニズム２１を介して装置１に到達するとよい。配布メカニズム２１は、例えば、コンピュータ可読記憶媒体、コンピュータ・プログラム製品２３、メモリ・デバイス、ＣＤ−ＲＯＭまたはＤＶＤなどの記録媒体、コンピュータ・プログラム・コード９を有形に具現化する製造品とすることもできる。配布メカニズムは、コンピュータ・プログラム・コード９を確実に伝達するよう構成された信号としてもよい。装置１は、コンピュータ・プログラム・コード９をコンピュータ・データ信号として伝搬または伝送してもよい。
【００４７】
メモリ５は、単一のコンポーネントとして示されているが、１つ以上の別々のコンポーネントとして実装されてもよく、その一部または全部が、一体型／リムーバブルであってもよく、さらに／または永久／半永久／動的／キャッシュ化記憶装置（ｃａｃｈｅｄ  ｓｔｏｒａｇｅ）を提供してもよい。
【００４８】
「コンピュータ可読記憶媒体」、「コンピュータ・プログラム製品」、「有形に具現化されたコンピュータ・プログラム」など、または「コントローラ」、「コンピュータ」、「プロセッサ」などへの言及は、単一／マルチプロセッサ・アーキテクチャおよび逐次（例えばノイマン型）／並列アーキテクチャなどの種々のアーキテクチャを有するコンピュータのみでなく、フィールド・プログラマブル・ゲートアレイ（ＦＰＧＡ：ｆｉｅｌｄ−ｐｒｏｇｒａｍｍａｂｌｅ  ｇａｔｅ  ａｒｒａｙ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、信号処理デバイスおよびその他のデバイスなどの特殊回路も含むと考えられるべきである。コンピュータ・プログラム、命令、コードなどへの言及は、プログラム可能プロセッサのソフトウェア、または例えば、プロセッサの命令であれ、固定機能デバイス、ゲートアレイもしくはプログラム可能論理デバイスなどの構成セッティングであれ、ハードウェア・デバイスのプログラム可能コンテンツなど、ファームウェアを含むと考えられるべきである。
【００４９】
図２は、本発明の別の実施形態による装置１'を示す。図２に示されている装置１'は、チップまたはチップセットであるとよい。装置１'は、図１に関して上述した少なくとも１つのプロセッサ３および少なくとも１つのメモリ５を含む。
【００５０】
本発明の実施形態による、装置１を制御する方法が、図３に概略的に示されている。
【００５１】
ブロック３１にて、ポジション検出器１９が、装置１のポジションを判断する。上記のように、装置１のポジションは、例えば、装置１が地面の方に向けられているか否か、または基準面に対する装置１の傾斜もしくは角度など、装置１の向きであってもよい。本発明のいくつかの実施形態では、ポジション検出器１９は、例えば、装置１が向けられているのが北か、南か、東か、西かなど、装置１が向いている方角を判断するとよい。
【００５２】
さらに、ポジション検出器１９は、装置１の位置を判断してもよい。ポジション検出器１９は、装置１が位置する都市または国を判断してもよい。本発明のいくつかの実施形態では、ポジション検出器１９は、装置１の地理座標を判断できるように十分正確であるとよい。
【００５３】
上記のように、本発明のいくつかの実施形態では、ポジション検出器１９を使用せずに、装置１のユーザが装置１のポジションを手動で入力してもよい。例えば、ユーザは、ユーザ入力デバイス１７を使用して、装置１の位置を示す情報を入力してもよい。
【００５４】
装置１が、第１の位置にポジショニングされていれば、ブロック３３Ａにて、第１の複数コンテンツ・アイテムがアクセスされる。
【００５５】
本発明のいくつかの実施形態では、第１の複数コンテンツ・アイテムは、装置１の少なくとも１つのメモリ５に記憶されるとよい。本発明のそのような実施形態では、第１の複数コンテンツ・アイテムは、少なくとも１つのメモリ５にアクセスしてコンテンツ・アイテムを読み出すことによりアクセスされるとよい。本発明の他の実施形態では、第１の複数コンテンツ・アイテムは、装置１の外部に記憶されるとよい。本発明のこうした実施形態では、第１の複数コンテンツ・アイテムは、サーバ５５などの外部エンティティにアクセスして外部エンティティからコンテンツ・アイテムを読み出すことによってアクセスされるとよい。当然のことながら、本発明のいくつかの実施形態では、第１の複数コンテンツ・アイテムは、装置１の少なくとも１つのメモリ５に記憶されているアイテム、さらに装置１の外部に記憶されているアイテムの両方を含んでもよい。
【００５６】
第１の複数コンテンツ・アイテムは、様々なタイプのコンテンツ・アイテムを含み得る。コンテンツ・アイテムは、テキストを含んでもよい。テキストは、ラベル、またはディスプレイ１５上に表示されたイメージに関するさらなる情報を提供してもよい。コンテンツ・アイテムは、ユーザ選択可能アイコンを含んでもよい。ユーザ選択可能アイコンは、コンテンツのレンダリングを可能にするためにユーザによって選択されるとよい。ユーザ選択可能アイコンは、アイコンに関連するコンテンツを示す、サムネイル・イメージなどのイメージを含んでもよい。あるいは、またはさらに、コンテンツ・アイテムは、ユーザがウェブサイトなどのコンテンツにアクセスすることを可能にするリンクまたはショートカットも含んでもよい。
【００５７】
ブロック３５Ａにて、第１の複数コンテンツ・アイテムの第１のサブセットが、ディスプレイ１５上に表示される。
【００５８】
第１の複数コンテンツ・アイテムの第１のサブセットは、背景イメージの上に重なって表示されてもよい。背景イメージは、装置１のポジションによって決定されてもよい。すなわち、装置１が第１のポジションにポジショニングされていることに応答して第１の背景イメージが表示されてもよく、装置１が第２のポジションにポジショニングされていることに応答して別の第２の背景イメージが表示されてもよい。
【００５９】
本発明のいくつかの実施形態では、背景イメージは、地図７３を含んでもよい。地図７３は、装置１が位置するエリアを示してもよい。本発明の他の実施形態では、地図７３は、装置１が位置しているところではないエリアを示してもよい。例えば、デバイスを下向きの方向に向けることによって、世界の反対側にあるエリアに対応する地図がディスプレイ１５上に表示されてもよい。ユーザは、装置１の向きを変更することおよび／または装置１の位置を移動することによって装置１を移動することにより、表示される地図のエリアを変更できてもよい。本発明のいくつかの実施形態では、ユーザはさらに、特定のタイプのユーザ入力を行うことによって、表示される地図のエリアを変更できてもよい。例えば、ユーザは、地図をパンするためにユーザ入力を行うことができてもよい。ユーザはさらに、ディスプレイ１５上の地図の縮尺が変化するように地図のズームインおよびズームアウトを行うことによって、表示されている地図のエリアを変更できてもよい。
【００６０】
アクセスされるコンテンツ・アイテムは、背景イメージに関連してもよい。コンテンツ・アイテムは、イメージに関するさらなる情報を含んでもよい。例えば、背景イメージが地図である場合、コンテンツ・アイテムは、地図上の地点を示すラベル、地図上のエリアをより詳細に示すイメージ、またはエリアについてのさらなる情報にユーザがアクセスすることを可能にするリンクを含んでもよい。アクセスされるコンテンツ・アイテムは、背景イメージが変更されるたびに変化してもよい。例えば、背景イメージが地図７３を含む場合、アクセスされるコンテンツは、ディスプレイ１５上に表示される地図のエリアが変化するたびに更新されてもよい。これは、装置１の移動への応答であっても、特定のユーザ入力への応答であってもよい。
【００６１】
第１の複数コンテンツ・アイテムの第１のサブセットのみが、同時に表示される。第１の複数コンテンツ・アイテムの第２のサブセットは、ディスプレイ１５上に表示されない。第１の複数コンテンツ・アイテムの非表示のサブセットは、装置１の少なくとも１つのメモリ５に記憶されていてもよい。第１の複数コンテンツ・アイテムの非表示のサブセットは、キューに記憶されていてもよい。コンテンツ・アイテムは、特定の基準に従ってキュー内で順序付けされてもよい。この特定の基準は、ユーザによって選択されてもよい。例えば、ユーザは、もっとも関心のあるコンテンツまたは情報のタイプを示してもよく、アイテムは、ユーザ・プリファレンスの順序でキューに記憶されてもよい。ユーザは、例えばメニューからアイテムを選択するなど、具体的に選択することによって、好ましいコンテンツのタイプを示してもよい。本発明の他の実施形態では、装置１の使用歴が、ユーザの好むコンテンツ・アイテムのタイプを判断するために使用されてもよい。本発明の他の実施形態では、基準は例えば、コンテンツ・アイテムの考えられる重要性、例としてはニュース・アイテムの重大さなど、またはコンテンツ・アイテムの人気、例としてはコンテンツ・アイテムがアクセスされた回数などとすることができるであろう。
【００６２】
同時に表示されるコンテンツ・アイテムの数は、装置１のユーザによって決定されてもよい。例えば、ユーザは、メニューにアクセスして、同時に表示されるコンテンツ・アイテムのタイプ、および同時に表示される各タイプのコンテンツ・アイテムの数をユーザが選択することを可能にする、オプションを選択することができてもよい。本発明のいくつかの実施形態では、ユーザはさらに、コンテンツ・アイテムが削除されて新たなコンテンツ・アイテムが追加されるまでに、コンテンツ・アイテムがディスプレイ１５上に表示される時間を選択できてもよい。
【００６３】
ブロック３７Ａにて、表示されているコンテンツ・アイテムが更新される。表示されているコンテンツ・アイテムは、所定の期間が経過した後に更新されるとよい。上記のように、装置１のユーザは、この所定の期間の長さを選択できてもよい。
【００６４】
表示されているコンテンツ・アイテムは、表示されているコンテンツ・アイテムのうちの１つ以上をディスプレイ１５から削除して、非表示のコンテンツ・アイテムのうちの１つ以上をキューからディスプレイ１５に追加することによって、更新されるとよい。本発明のいくつかの実施形態では、ディスプレイ１５上に表示されるコンテンツ・アイテムの数は、常に一定であるとよく、その結果、ディスプレイ１５から削除されるコンテンツ・アイテム毎に新たなコンテンツ・アイテムが追加される。
【００６５】
コンテンツ・アイテムは、キューに記憶されている順序でディスプレイ１５に追加されてもよい。表示されているコンテンツ・アイテムは、ディスプレイ１５から削除されると、キューの後方に記憶されてもよい。第１の複数コンテンツ・アイテムのすべてが、十分に長い期間にわたって表示されることができるように、ブロック３５Ａおよび３７Ａは、任意の回数繰り返されるとよい。
【００６６】
ブロック３１にて、ポジション検出器１９が、装置１が第２のポジションにあると判断すれば、ブロック３３Ｂにて、第２の複数コンテンツ・アイテムがアクセスされ、ブロック３５Ｂにて、第２の複数コンテンツ・アイテムのサブセットが表示され、ブロック３７Ｂにて、表示されているコンテンツ・アイテムのうちの１つ以上を削除して第２の複数コンテンツ・アイテムから１つ以上の新たなコンテンツ・アイテムを追加することによって、表示されているコンテンツ・アイテムが更新される。
【００６７】
ブロック３３Ｂ〜３７Ｂに関連する方法は、装置１が別のポジションにあると判断されたため別の複数コンテンツ・アイテムが使用されるということを除いて、ブロック３３Ａ〜３７Ａと同じであればよいということが分かる。
【００６８】
図３では、第１のポジションおよび第２のポジションのみが示されている。当然のことながら、任意数の異なるポジションが利用可能であってよい。例えば、ポジション検出器１９は、任意数の異なるポジションを区別するよう構成され得る。異なるポジションはそれぞれ、異なる複数コンテンツ・アイテムに対するアクセスを可能にするとよい。これは、ユーザが、その装置１を単に移動することによって、任意数の異なる複数コンテンツ・アイテムにアクセスすることを可能にするとよい。
【００６９】
図３に示されているブロックは、方法のステップ、および／またはコンピュータ・プログラム９内のコードの各部分を表し得る。ブロックの特定の順序の例示は、必ずしもブロックに必要な順序または好ましい順序があることを意味するとは限らず、ブロックの順序および配置は変更されてもよい。さらに、いくつかのブロックが省略されることが可能なこともある。
【００７０】
図４は、本発明の例示実施形態による、コンテンツ・アイテムにアクセスし、それを表示し、記憶するシステムを概略的に示す。
【００７１】
図４に示されている実施形態では、アクセスされるコンテンツ・アイテムは、ローカル・データベース５１に記憶されるとよい。ローカル・データベース５１は、コントローラ４によってアクセスされるとよい、装置１の１つ以上のメモリ５内に記憶されているとよい。
【００７２】
アクセスされるコンテンツ・アイテムは、外部データベース５３から読み出されてもよい。外部データベース５３は、サーバ５５などのリモート・デバイスに記憶されていてもよい。コンテンツ・アイテムは、任意の適切な通信リンクを介して、外部データベース５３からローカル・データベース５１に提供されるとよい。外部データベース５３は、複数の異なるソースからコンテンツ・アイテムを取得してもよい。示されている実施形態では、複数の異なるソースは、複数の異なるウェブサイト５７Ａ、５７Ｂ、５７Ｃを含む。
【００７３】
当然のことながら、本発明の他の実施形態では、ローカル・データベース５１は、ウェブサイト５７Ａ、５７Ｂ、５７Ｃなどのソースから直接コンテンツ・アイテムを取得してもよい。本発明のそのような実施形態では、コンテンツ・アイテムに対する必要な任意の処理が、装置１内で実行されるとよい。
【００７４】
本発明のいくつかの実施形態では、アクセスされるコンテンツ・アイテムの一部は、内部データベース５９から読み出されてもよい。内部データベース５９は、装置１の少なくとも１つのメモリ５に記憶されていてもよく、例えば、連絡先情報、カレンダー情報、またはユーザによってダウンロードされるオーディオ・ファイルもしくはイメージなどのコンテンツを含んでもよい。内部データベース５９に記憶されているコンテンツ・アイテムは、装置１の他の機能の実行を可能にするときに、コントローラ４によって使用されてもよい。例えば、連絡先情報は、装置１の通信機能を有効化するときに使用されてもよい。
【００７５】
図４に概略的に示されているシステムでは、アクセスされたコンテンツ・アイテムは、異なる３つのタイプのコンテンツ・アイテムを含む。第１のタイプのコンテンツ・アイテム６１Ａは、イメージを含み、第２のタイプのコンテンツ・アイテム６１Ｂは、テキストを含み、第３のタイプのコンテンツ・アイテム６１Ｃは、外部ウェブサイトへのリンクを含む。
【００７６】
当然のことながら、他のタイプのコンテンツが、本発明の他の実施形態において提供され得る。
【００７７】
コンテンツ・アイテムの種々のタイプそれぞれが、表示されているサブセット６３Ａ、６３Ｂ、６３Ｃおよび非表示のサブセット６５Ａ、６５Ｂ、６５Ｃに分割される。表示されているサブセット６３Ａ、６３Ｂ、６３Ｃは、ディスプレイ１５に現在表示されている項目を含む。非表示のサブセット６５Ａ、６５Ｂ、６５Ｃは、アクセスされたが現在ディスプレイ１５に表示されてはいないアイテムを含む。上記のように、コンテンツ・アイテムの非表示のサブセット６５Ａ、６５Ｂ、６５Ｃは、キューに記憶される。アイテムは、アイテムの考えられる重要性または人気などの特定の基準に従ってキュー内で順序付けられてもよい。
【００７８】
表示されているサブセット６３Ａ、６３Ｂ、６３Ｃ内のコンテンツ・アイテムの数は、ユーザによって制御されてもよい。すなわち、ユーザは、ディスプレイ１５上に同時に表示される情報の量を制御できてもよい。表示されているサブセット６３Ａ、６３Ｂ、６３Ｃ内のコンテンツ・アイテムの数は、コンテンツ・アイテムの種々のタイプそれぞれに関して異なってもよい。
【００７９】
非表示のサブセット６５Ａ、６５Ｂ、６５Ｃ内のコンテンツ・アイテムの数は、アクセスされた、ローカル・データベース５１に記憶されているコンテンツ・アイテムの数によって決定されてもよい。本発明のいくつかの実施形態では、アクセスされたが現在表示されていない任意のコンテンツ・アイテムが、非表示のサブセットに記憶されるとよい。
【００８０】
所定の時間が経過した後、矢印６７によって示されているように、表示されているサブセット６３Ａからコンテンツ・アイテムのうちの１つを削除して、それを非表示のサブセット６５Ａ内のキューの後方に移動することによって、コンテンツ・アイテムの表示されているサブセット６３Ａが更新される。さらに、新たなコンテンツ・アイテムが、表示されているサブセット６３Ａに追加される。新たなコンテンツ・アイテムは、非表示のサブセット６５Ａのキューの前方から追加されるとよい。当然のことながら、コンテンツ・アイテムの表示されている他のサブセット６３Ｂ、６３Ｃも同じ方法で更新されればよい。
【００８１】
ローカル・データベース５１に記憶されているコンテンツ・アイテムも更新されてもよい。例えば、アクセスされるコンテンツ・アイテムは、装置１がポジションを変更したと判断されるたびに更新されてもよい。コンテンツ・アイテムはさらに、時間がたつにつれて更新されてもよい。例えば、コンテンツ・アイテムの一部が、所定の期間後に満期になってもよく、いくつかの新たなコンテンツ・アイテムが利用可能になってもよい。ローカル・データベース５１に記憶されているコンテンツ・アイテムの更新は、表示されているサブセット６３Ａ、６３Ｂ、６３Ｃ内のコンテンツ・アイテムを変更し、その結果、ディスプレイ１５上に表示されるコンテンツ・アイテムを変更するとよい。
【００８２】
図５は、本発明の例示実施形態によるグラフィカル・ユーザ・インターフェース７１を示す。グラフィカル・ユーザ・インターフェース７１は、ディスプレイ１５上に表示されるとよい。
【００８３】
グラフィカル・ユーザ・インターフェース７１は、地図７３を含む。示されている実施形態では、地図７３は、背景に表示され、複数のコンテンツ・アイテム７５Ａ〜Ｒが、地図７３の上に重なって表示されている。コンテンツ・アイテム７５Ａ〜Ｒは、地図７３によって示されているエリアに関連するとよい。
【００８４】
図５に示されている特定の実施形態では、地図７３は、装置１に対し世界の反対側にあるエリアを示す。地図７３は、ユーザが地球を透視できるかのように表示される。つまり、地図７３は、地球の地図上に通常表示されるであろう地図とは反転して表示される。本発明のいくつかの実施形態では、地図７３の異なるセクションは、異なる色で表示されてもよい。これは、地図７３上に表示されているエリアにおける、相対的時刻の指示を提供してもよい。つまりこれは、地図の個々のエリアで昼間であるか夜間であるかをユーザが見ることを可能にする。
【００８５】
上記のように、複数の異なるコンテンツ・アイテム７５Ａ〜Ｒが、地図の上に重なってグラフィカル・ユーザ・インターフェースに表示される。この特定の実施形態では、コンテンツ・アイテムの一部７５Ａ〜Ｎは、ユーザがコンテンツにアクセスすることを可能にするユーザ選択可能アイコンを含む。本発明のいくつかの実施形態では、ユーザ選択可能アイコンは、アイコンに関連するコンテンツを示すイメージを含む。本発明のいくつかの実施形態では、イメージは、アニメーションを用いたイメージを含んでもよい。図５に示されている特定の実施形態では、コンテンツ・アイテム７５Ａ〜Ｎは、規則的な配列に配置されている。配列は、所定数の行および所定数の列を備えるグリッドを含む。行および列の数は、ディスプレイのサイズおよびコンテンツ・アイテム７５Ａ〜Ｎのサイズによって決まってもよい。コンテンツ・アイテム７５Ａ〜Ｎは、グリッド内の任意のポジションに表示されてよい。表示されるコンテンツ・アイテム７５Ａ〜Ｎの数は、グリッド内の利用可能なスペースの数より少なくてもよい。これは、ユーザが異なるコンテンツ・アイテム７５Ａ〜Ｎをはっきりと見て選択することができる、整理された配列を提供する。さらに、グリッド内に、コンテンツ・アイテム７５Ａ〜Ｎが表示されない箇所があるため、これは、配列の間から背景イメージを見ることを可能にする。
【００８６】
コンテンツ・アイテムの一部７５Ｐ〜Ｒは、ラベルを含むとよい。図５に示されている実施形態では、ラベルは、地図７３上に表示されているエリアを示す。ユーザは、ラベルが表示されるか否か、表示されるラベルの数、およびラベルで提供される情報のタイプを選択することができてもよい。例えば、ユーザは、ラベルがテキストおよび／またはイメージを含むかどうかを選択してもよい。さらにユーザは、例えば、地図上のエリアがラベル付けされるか、または連絡先の名前もしくは天気情報などの何らかの局所情報が提供されるかなど、ラベル内の情報を選択できてもよい。
【００８７】
ズーム・アイコン７７も提供される。ユーザは、ズーム・アイコン７７を選択して、ディスプレイ１５上の地図７３の縮尺を変更してもよい。上記のように、ディスプレイ１５上の地図７３の縮尺の変更は、アクセスされるコンテンツ・アイテムも変更してもよい。
【００８８】
図５に示されている実施形態では、コンテンツ・アイテムのうちの１つ７５Ｃが、ディスプレイ１５から削除され、新たなコンテンツ・アイテム７５Ｇがディスプレイ１５に追加されているところである。この特定の実施形態では、ディスプレイ１５から削除されるコンテンツ・アイテム７５Ｃは、ディスプレイ１５上に表示されなくなるまでサイズが縮小していき、ディスプレイ１５に追加されるコンテンツ・アイテム７５Ｇは、ディスプレイ上の他のコンテンツ・アイテムと同じサイズになるまでサイズが増大していくとよい。この特定の実施形態では、新たなコンテンツ・アイテム７５Ｇは、削除されたコンテンツ・アイテム７５Ｃと異なる、ディスプレイ１５のエリアに表示される。
【００８９】
図６は、本発明の別の例示実施形態による別のグラフィカル・ユーザ・インターフェース７１を示す。前の実施形態と同様に、グラフィカル・ユーザ・インターフェース７１は、ディスプレイ１５上に表示されるとよい。
【００９０】
図６内のグラフィカル・ユーザ・インターフェース７１も、背景に表示されている地図７３を含む。地図７３は、図５に示された地図と同じ形で提供されるとよい。
【００９１】
図６では、複数のコンテンツ・アイテム７５Ｔ〜Ｖが、地図７３の上に重なって表示されている。コンテンツ・アイテム７５Ｔ〜Ｖは、地図７３によって示されているエリアに関連するとよい。
【００９２】
図６では、ユーザは、表示されているコンテンツ・アイテム７５Ｔ〜Ｖのうちの１つを選択している。コンテンツを選択されていないコンテンツ・アイテム７５Ｔ、７５Ｕは、図５で表示されているコンテンツ・アイテムと同じ形で表示されている。一方、選択された第３のコンテンツ・アイテム７５Ｖは、ここでは他のコンテンツ・アイテム７５Ｔ、７５Ｕより大きく表示され、コンテンツ・アイテム７５Ｖに関連するコンテンツのプレビューがユーザに提供されることを可能にする。拡大されたコンテンツ・アイテム７５Ｖは、他のコンテンツ・アイテムの上に重なるとよく、例えば、コンテンツ・アイテム７５Ｖが選択されるまで、以前はディスプレイ上に見えていたが、今は拡大されたコンテンツ・アイテム７５Ｖによって覆い隠された、他のコンテンツ・アイテムがあってもよい。
【００９３】
図６に示されている特定の実施形態では、プレビューはイメージを含む。イメージは、写真などの静止イメージまたはビデオなどのアニメーションを用いたイメージなどであればよい。本発明のいくつかの実施形態では、何らかのオーディオまたはテキスト・コンテンツも、プレビューにおいて提供されてもよい。ユーザは、プレビューを使用して、コンテンツがレンダリングされ得るようコンテンツを選択したいか否かを判断してもよい。
【００９４】
さらに、図６に示されているグラフィカル・ユーザ・インターフェース７１は、複数のユーザ選択可能アイコン８１Ａ、８１Ｂ、８１Ｃを含む。複数のユーザ選択可能アイコン８１Ａ、８１Ｂ、８１Ｃは、表示させたい種々のタイプのコンテンツ・アイテムをユーザが容易に選択することを可能にしてもよい。例えば、第１のアイコン８１Ａの選択は、提供されるラベルの数およびタイプをユーザが選択することを可能にしてもよい。第２のアイコンは、提供される、連絡先情報に関連するコンテンツ・アイテムの数をユーザが選択することを可能にしてもよく、第３のアイコンは、天気に関連するコンテンツ・アイテムの数をユーザが選択することを可能にしてもよい。これは、特定のタイプのコンテンツ・アイテムすべてにユーザが容易にアクセスすることを可能にするとよい。さらに、複数のユーザ選択可能アイコン８１Ａ、８１Ｂ、８１Ｃは、プレビューにおいて提供されるコンテンツのタイプをユーザが変更することを可能にしてもよい。
【００９５】
本発明のいくつかの実施形態では、グラフィカル・ユーザ・インターフェース７１は、地図の特定のエリアと、そのエリアに関連するコンテンツ・アイテムとの視覚的なリンクを提供してもよい。例えば、コンテンツ・アイテム７５がディスプレイ１５に追加されるとき、コンテンツ・アイテム７５が、コンテンツ・アイテムに関連する地図７３のエリアから出てくるかのように見えるよう、アニメーション化されてもよい。これは、コンテンツと地図７３上のエリアとをユーザが結び付けて考えることをより容易にするとよい。
【００９６】
本発明の実施形態は、ユーザにとって単純で直感的な形で大量のコンテンツがユーザに提供されることを可能にする。期間中、キューイング・システムを使用してコンテンツ・アイテムを循環させることによって、ユーザを圧倒することなく、大量の情報をユーザに提供可能である。さらに、ユーザは、同時に提供されるコンテンツ・アイテムの量を制御できてもよい。これは、ユーザが好む量および速度でコンテンツを提供するよう、ユーザが装置１を制御することを可能にする。
【００９７】
装置１が異なるポジションにポジショニングされているときに、異なるコンテンツ・アイテムを提供することで、ユーザが、単にその装置１を移動すること、またはその装置１の向きを変更することによって、異なるコンテンツ・アイテムに容易にアクセスすることを可能にする。ユーザは、その装置１の特定のポジションと、特定のコンテンツ・アイテムとを結び付けて考えることができるとよい。例えば、ユーザは、その装置１を直接床に向けて自分の机の前に座っていると、これは、特定の地理的エリアに関するコンテンツ・アイテムにユーザがアクセスするのを可能にするということを、学習してもよい。
【００９８】
装置のポジションを使用して、ディスプレイ上に表示される地図を決定することは、ユーザが、その周囲をより強く意識することも可能にする。
【００９９】
本発明の実施形態は、様々な例を参照して上記の各段落に記載されたが、当然のことながら、請求される本発明の範囲から逸脱することなく、与えられた例に対して変更が加えられることが可能である。例えば、上記の実施形態では、ユーザは、その装置１を移動することによって、異なる複数コンテンツ・アイテムにアクセスすることができる。アクセスされるコンテンツ・アイテムを変更せずに、ユーザが装置１を移動するのを可能にすることが有用なこともある。例えば、ユーザは、装置１をより都合のよいポジションに移動すること、またはコンテンツ・アイテムを別の人に見せることを望むかもしれない。本発明のそのような実施形態では、ユーザは、装置１を第１のポジションにポジショニングすることによって、コンテンツ・アイテムにアクセスできるとよい。続いて、ユーザは装置１のポジションをロックするロック・オプションを選択するとよい。装置１のポジションがロックされると、ポジション検出器１９は、装置１のポジションが変化したときにそれを示す出力をコントローラ４に提供しないよう、無効化されてもよい。これは、装置１が移動されてもアクセスされたコンテンツ・アイテムが変更されないように、アクセスされたコンテンツ・アイテムをロックするとよい。コンテンツ・アイテムは、まだキューとディスプレイとの間で循環してもよいが、データベースからの新たなコンテンツ・アイテムはアクセスされない。
【０１００】
コンテンツ・アイテムは、任意の適切な形で提供されればよい。本発明のいくつかの実施形態では、特定のタイプのコンテンツが、汎用のイメージによって示されてもよい。例えば、すべての連絡先情報が、地図のエリア上のドットによって示されてもよい。ユーザは、ドットを選択することによって、特定のドットに関連する特定の連絡先情報を判断してもよい。
【０１０１】
当然のことながら、コンテンツ・アイテムに関連するコンテンツは、任意の適切な主題に関係していればよい。例えば、上記の説明では、コンテンツ・アイテムは、地球の地図上のエリアに関係する。本発明のいくつかの実施形態では、コンテンツ・アイテムは、空に関連してもよい。
【０１０２】
前述の説明に記載された特徴は、明確に記載された組み合わせ以外の組み合わせで使用されてもよい。
【０１０３】
各機能は、特定の特徴を参照して記載されたが、そうした機能は、記載されているか否かにかかわらず他の特徴によって実行可能であってもよい。
【０１０４】
各特徴は、特定の実施形態を参照して記載されたが、そうした特徴は、記載されているか否かにかかわらず他の実施形態にも存在してもよい。
【０１０５】
上記明細書の中では、本発明の、特に重要であると考えられる当該の特徴に注目を集めるよう努めたが、当然のことながら、出願人は、上記で言及した、および／または図面に示した、特許性のある任意の特徴または複数の特徴の組み合わせに関して、それが特に強調されたか否かにかかわらず、保護を請求する。
【図１】
2013528849.tif 000003
【図２】
2013528849.tif 000004
【図３】
2013528849.tif 000005
【図４】
2013528849.tif 000006
【図５】
2013528849.tif 000007
【図６】
2013528849.tif 000008
【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
第１のポジションに装置がポジショニングされるのに応答して、前記装置のディスプレイ上に第１の複数コンテンツ・アイテムを第１の期間にわたって表示することと；
第２のポジションに装置がポジショニングされるのに応答して、第２の複数コンテンツ・アイテムを第２の期間にわたって表示することと；
を含み、ここで、
前記第１の期間の間に、前記第１の複数コンテンツ・アイテムの第１のサブセットが、前記ディスプレイから削除され、前記第１の複数コンテンツ・アイテムの第２のサブセットが、前記ディスプレイに追加され、
前記第２の期間の間に、前記第２の複数コンテンツ・アイテムの第１のサブセットが、前記ディスプレイから削除され、前記第２の複数コンテンツ・アイテムの第２のサブセットが、前記ディスプレイに追加される、
方法。
【請求項２】
前記装置の前記ポジションは、前記装置の向き、前記装置の位置のうちの少なくとも１つを含む、請求項１に記載の方法。
【請求項３】
前記第２の複数コンテンツ・アイテムは、前記第１のポジションから前記第２のポジションに前記装置が移動されると、前記第１の複数コンテンツ・アイテムと置き換わる、請求項１または２に記載の方法。
【請求項４】
前記方法は、前記装置をロック状態に設定することをさらに含み、前記装置が前記ロック状態に設定されていると、前記第１の複数コンテンツ・アイテムを置き換えることなく、前記装置が前記第１のポジションから移動され得る、請求項１または２に記載の方法。
【請求項５】
前記複数アイテムのうち、前記ディスプレイ上に現在表示されていないサブセットを、キューに記憶することをさらに含む、請求項１から４のいずれかに記載の方法。
【請求項６】
前記コンテンツ・アイテムは、それらが前記キューに記憶されている順序で前記ディスプレイに追加される、請求項５に記載の方法。
【請求項７】
前記キューにおける前記コンテンツ・アイテムの前記順序は、前記装置のユーザによって決定される、請求項６に記載の方法。
【請求項８】
前記方法は、イメージを表示することをさらに含み、前記装置が第１のポジションであると第１のイメージが表示され、前記装置が前記第２のポジションにあると第２のイメージが表示される、請求項１から７のいずれかに記載の方法。
【請求項９】
前記イメージは、地図を含む、請求項８に記載の方法。
【請求項１０】
前記コンテンツ・アイテムは、前記地図によって示されるエリアに関連する、請求項９に記載の方法。
【請求項１１】
表示されるコンテンツ・アイテムのタイプは、ユーザによって選択される、請求項１から１０のいずれかに記載の方法。
【請求項１２】
同時に表示されるコンテンツ・アイテムの数は、ユーザによって決定される、請求項１から１１のいずれかに記載の方法。
【請求項１３】
請求項１から１２のいずれかに記載の前記方法を実行するよう構成された装置。
【請求項１４】
コンピュータ・プログラム命令を含むコンピュータ・プログラムであって、前記コンピュータ・プログラム命令は、少なくとも１つのプロセッサによって実行されると、装置が、
第１のポジションに前記装置がポジショニングされるのに応答して、ディスプレイ上に第１の複数コンテンツ・アイテムを第１の期間にわたって表示することと；
第２のポジションに前記装置がポジショニングされるのに応答して、第２の複数コンテンツ・アイテムを第２の期間にわたって表示することと；
を少なくとも実行することを可能にし、ここで、
前記第１の期間の間に、前記第１の複数コンテンツ・アイテムの第１のサブセットが、前記ディスプレイから削除され、前記第１の複数コンテンツ・アイテムの第２のサブセットが、前記ディスプレイに追加され、
前記第２の期間の間に、前記第２の複数コンテンツ・アイテムの第１のサブセットが、前記ディスプレイから削除され、前記第２の複数コンテンツ・アイテムの第２のサブセットが、前記ディスプレイに追加される、
コンピュータ・プログラム。
【請求項１５】
請求項１から１２のいずれかに記載の前記方法をコンピュータに実行させるプログラム命令を含む、コンピュータ・プログラム。
【請求項１６】
請求項１４または１５に記載の前記コンピュータ・プログラムを具現化する物理エンティティ。
【請求項１７】
請求項１４または１５に記載の前記コンピュータ・プログラムを搬送する電磁搬送信号。
【請求項１８】
装置のポジションを判断することと；
前記判断に応答して、情報を表示させることと
を含み、ここで、
前記ポジションは、位置および向きを含み、前記向きは、基準面に対する前記装置の角度を含み、
前記情報は、前記装置の前記判断されたポジションに依存し、前記装置の前記判断された位置に対し世界の反対側にある位置に関する情報を含む、
方法。
【請求項１９】
前記基準面は、水平である、請求項１８に記載の方法。
【請求項２０】
前記基準面は、地面を含む、請求項１８または１９に記載の方法。
【請求項２１】
前記向きは、前記装置が地面の方に向いているか否かを含む、請求項１８から２０のいずれかに記載の方法。
【請求項２２】
前記ポジションが第１のポジションであると判断されれば、第１の情報が表示され、前記ポジションが第２のポジションであると判断されれば、第２の情報が表示されるように、前記情報は、前記判断されたポジションに依存する、請求項１８から２１のいずれかに記載の方法。
【請求項２３】
表示される前記情報は、背景イメージと、前記背景イメージに関連する複数コンテンツ・アイテムとを含む、請求項１８から２２のいずれかに記載の方法。
【請求項２４】
前記背景イメージは、前記世界の前記反対側にある前記位置を示す地図を含む、請求項２３に記載の方法。
【請求項２５】
少なくとも１つのプロセッサと；
コンピュータ・プログラム・コードを備える少なくとも１つのメモリと；
を含む装置であって、
前記少なくとも１つのメモリおよび前記コンピュータ・プログラム・コードは、前記装置が、
前記装置のポジションを判断し；
前記判断に応答して、情報を表示させること
を、前記少なくとも１つのプロセッサとともに可能にするよう構成されており、ここで、
前記ポジションは、位置および向きを含み、前記向きは、基準面に対する前記装置の角度を含み、
前記情報は、前記装置の前記判断されたポジションに依存し、前記装置の前記判断された位置に対し世界の反対側にある位置に関する情報を含む、
装置。
【請求項２６】
前記基準面は、水平である、請求項２５に記載の装置。
【請求項２７】
前記基準面は、地面を含む、請求項２５または２６に記載の装置。
【請求項２８】
前記向きは、前記装置が地面の方に向いているか否かを含む、請求項２５から２７のいずれかに記載の装置。
【請求項２９】
前記ポジションが第１のポジションであると判断されれば、第１の情報が表示され、前記ポジションが第２のポジションであると判断されれば、第２の情報が表示されるように、前記情報は、前記判断されたポジションに依存する、請求項２５から２８のいずれかに記載の装置。
【請求項３０】
表示される前記情報は、背景イメージと、前記背景イメージに関連する複数コンテンツ・アイテムとを含む、請求項２５から２９のいずれかに記載の装置。
【請求項３１】
前記背景イメージは、前記世界の前記反対側にある前記位置を示す地図を含む、請求項３０に記載の装置。
【請求項３２】
請求項１８から２４のいずれかに記載の前記方法をコンピュータに実行させるプログラム命令を含む、コンピュータ・プログラム。
【国際調査報告】
2013528849.tif 000009
2013528849.tif 000010